(57)【要約】  本開示の鋸歯状ファンブレード４０の後縁４４は、一列に隣接して並んだ第１のノッチＮ１、第２のノッチＮ２および第３のノッチＮ３を含むノッチ列５０を有している。第１のノッチＮ１および第２のノッチＮ２は、それらの間に第１のセレーションＳ１を形成しており、第２のノッチＮ２および第３のノッチＮ３は、それらの間に第２のセレーションＳ２を形成している。第２のノッチＮ２は、第１から第３のノッチＮ１〜Ｎ３の深さのなかで最大または最小の深さを有しており、第１および第２のセレーションＳ１、Ｓ２のそれぞれは非対称形状を有している。
2018008390.tif 000002
【特許請求の範囲】
【請求項１】
前縁および後縁を有する翼型構造であって、前記前縁および前記後縁がそれぞれ内側根元と外側先端との間に延びている、翼型構造を備え、
前記後縁は、一列に隣接して並んだ第１のノッチ、第２のノッチおよび第３のノッチを含む複数のノッチを有しており、
前記第１のノッチおよび前記第２のノッチは、前記第１のノッチと前記第２のノッチとの間に第１のセレーションを形成しており、
前記第２のノッチおよび前記第３のノッチは、前記第２のノッチと前記第３のノッチとの間に第２のセレーションを形成しており、
前記第２のノッチは、前記第１から第３のノッチの深さのなかで最大または最小の深さを有しており、前記第１および第２のセレーションのそれぞれは非対称形状を有している、鋸歯状ファンブレード。
【請求項２】
前記第１から第３のノッチのそれぞれの深さは、前記翼型構造の翼弦長の５％以上３５％以下であり、前記第１から第３のノッチの幅は、それぞれのノッチの深さの０．５倍以上３倍以下である、請求項１に記載の鋸歯状ファンブレード。
【請求項３】
前記第２のノッチの深さは、前記第１から第３のノッチの深さのなかで最大である、請求項１または２に記載の鋸歯状ファンブレード。
【請求項４】
前記第２のノッチの深さは、前記第１から第３のノッチの深さのなかで最小である、請求項１または２に記載の鋸歯状ファンブレード。
【請求項５】
前記複数のノッチは、前記第３のノッチに隣接する第４のノッチを含んでおり、
前記第３のノッチおよび前記第４のノッチは、前記第３のノッチと前記第４のノッチとの間に第３のセレーションを形成しており、
前記第４のノッチは、前記第３のノッチよりも大きな深さを有している、請求項３に記載の鋸歯状ファンブレード。
【請求項６】
前記複数のノッチは、前記第３のノッチに隣接する第４のノッチを含んでおり、
前記第３のノッチおよび前記第４のノッチは、前記第３のノッチと前記第４のノッチとの間に第３のセレーションを形成しており、
前記第４のノッチは、前記第３のノッチよりも小さな深さを有している、請求項４に記載の鋸歯状ファンブレード。
【請求項７】
前記第１から第３のノッチのそれぞれは、非対称形状を有している、請求項３または４に記載の鋸歯状ファンブレード。
【請求項８】
前記第１から第３のノッチのそれぞれは、第１の辺および第２の辺を有しており、
前記第１の辺は、前記第２の辺よりも前記外側先端に近く、かつ、前記第２の辺よりも長い、請求項７に記載の鋸歯状ファンブレード。
【請求項９】
前記第１から第３のノッチのそれぞれは、丸みを持つ底部を有している、請求項１から８のいずれかに記載の鋸歯状ファンブレード。
【請求項１０】
前記第１および第２のセレーションのそれぞれは、丸みを持つ頂部を有している、請求項１から９のいずれかに記載の鋸歯状ファンブレード。
【請求項１１】
前縁および後縁を有する翼型構造であって、前記前縁および前記後縁がそれぞれ内側根元と外側先端との間に延びている、翼型構造を備え、
前記後縁は、一列に隣接して並んだ第１のノッチ、第２のノッチ、第３のノッチおよび第４のノッチを含む複数のノッチを有しており、
前記第１のノッチおよび前記第２のノッチは、前記第１のノッチと前記第２のノッチとの間に第１のセレーションを形成しており、
前記第２のノッチおよび前記第３のノッチは、前記第２のノッチと前記第３のノッチとの間に第２のセレーションを形成しており、
前記第３のノッチおよび前記第４のノッチは、前記第３のノッチと前記第４のノッチとの間に第３のセレーションを形成しており、
前記第２および第３のノッチのそれぞれは、前記第１および第４のノッチのそれぞれの深さよりも小さな深さを有している、鋸歯状ファンブレード。
【請求項１２】
モータと、
前記モータに連結されたインペラであって、ハブおよび前記ハブに接続された複数のファンブレードを有するインペラと、
を備え、
前記複数のファンブレードのそれぞれは、請求項１から７および９から１１のいずれかに記載の鋸歯状ファンブレードである、軸流ファン。
【請求項１３】
モータと、
前記モータに連結されたインペラであって、ハブおよび前記ハブに接続された複数のファンブレードを有するインペラと、
を備え、
前記複数のファンブレードのそれぞれは、請求項８に記載の鋸歯状ファンブレードであり、
各鋸歯状ファンブレードにおける前記後縁の側面の一部分であって、各ノッチの前記第２の辺に位置する部分が前記インレット側から見えている、軸流ファン。
【請求項１４】
中心軸を有する遠心ファンインペラであって、
インレットリングと、
背面プレートと、
前記インレットリングと前記背面プレートとの間において前記中心軸の周りに配列された複数のファンブレードと、
を備え、
前記複数のファンブレードのそれぞれは、
径方向内側の前縁と、
径方向外側の後縁と、
前記インレットリングに連結された第１端部と、
前記背面プレートに連結された第２端部と、
を有し、
前記前縁および前記後縁の少なくとも一方は、一列に隣接して並んだ第１のノッチ、第２のノッチおよび第３のノッチを含む複数のノッチを有しており、
前記第１のノッチおよび前記第２のノッチは、前記第１のノッチと前記第２のノッチとの間に第１のセレーションを形成しており、
前記第２のノッチおよび前記第３のノッチは、前記第２のノッチと前記第３のノッチとの間に第２のセレーションを形成しており、
前記第２のノッチは、前記第１から第３のノッチの深さのなかで最大または最小の深さを有しており、前記第１および第２のセレーションのそれぞれは非対称形状を有している、鋸歯状ファンブレードである、遠心ファンインペラ。
【請求項１５】
モータと、
前記モータに連結されたインペラと、
を備え、
前記インペラは、請求項１４に記載の遠心ファンインペラである、遠心ファン。
【発明の詳細な説明】
【技術分野】
【０００１】
本願は、鋸歯状ファンブレードおよび当該ファンブレードを備える軸流ファンならび遠心ファンに関する。
【背景技術】
【０００２】
軸流ファンは、軸回りに回転する複数のブレードによって空気または他のガスを軸方向に流す送風装置である。各ブレードは、前縁および後縁を有する翼型構造（Ａｉｒｆｏｉｌ）を備えている。遠心ファンは、軸回りに回転する複数のブレードによって空気または他のガスを半径方向の外側に流す送風装置である。【０００３】
特開２０１５−１４０７４１号公報は、騒音低減のため、ブレードの前縁または後縁に鋸歯状の複数の突起（鋸歯）を設けることを開示している。特開２０１５−１４０７４１号公報は、遠心力によって鋸歯の谷部に発生する応力を緩和するため、谷部の曲率を半径方向に沿って段階的に大きくすることを記載している（段落００２６）。
【先行技術文献】
【特許文献】
【０００４】
【特許文献１】特開２０１５−１４０７４１号公報
【発明の概要】
【発明が解決しようとする課題】
【０００５】
ブレードの後縁付近における騒音の生成メカニズムは、空力音響学の主要な課題のひとつである。後縁に鋸歯形状を有する従来のブレードでは、騒音の低減がまだまだ不十分である。ファンの特性を低下させることなく、空力騒音を更に低減することが求められている。
【課題を解決するための手段】
【０００６】
本開示の鋸歯状ファンブレードは、例示的な実施形態において、前縁および後縁を有する翼型構造であって、前縁および後縁がそれぞれ内側根元と外側先端との間に延びている、翼型構造を備えている。後縁は、一列に隣接して並んだ第１のノッチ、第２のノッチおよび第３のノッチを含む複数のノッチを有している。第１のノッチおよび第２のノッチは、第１のノッチと第２のノッチとの間に第１のセレーションを形成している。第２のノッチおよび第３のノッチは、第２のノッチと第３のノッチとの間に第２のセレーションを形成している。第２のノッチは、第１から第３のノッチの深さのなかで最大または最小の深さを有しており、第１および第２のセレーションのそれぞれは非対称形状を有している。【０００７】
本開示の鋸歯状ファンブレードは、他の例示的な実施形態において、前縁および後縁を有する翼型構造であって、前縁および後縁がそれぞれ内側根元と外側先端との間に延びている、翼型構造を備えている。後縁は、一列に隣接して並んだ第１のノッチ、第２のノッチ、第３のノッチおよび第４のノッチを含む複数のノッチを有している。第１のノッチおよび第２のノッチは、第１のノッチと第２のノッチとの間に第１のセレーションを形成している。第２のノッチおよび第３のノッチは、第２のノッチと第３のノッチとの間に第２のセレーションを形成している。第３のノッチおよび第４のノッチは、第３のノッチと第４のノッチとの間に第３のセレーションを形成している。第２および第３のノッチのそれぞれは、第１および第４のノッチのそれぞれの深さよりも小さな深さを有している。【０００８】
本開示の軸流ファンは、例示的な実施形態において、モータと、モータに連結されたインペラであって、ハブおよび前記ハブに接続された複数のファンブレードを有するインペラとを備えている。複数のファンブレードのそれぞれは、上記いずれかの鋸歯状ファンブレードである。【０００９】
本開示の遠心ファンインペラは、例示的な実施形態において、中心軸を有する遠心ファンインペラであって、インレットリングと、背面プレートと、前記インレットリングと前記背面プレートとの間において前記中心軸の周りに配列された複数のファンブレードとを備える。前記複数のファンブレードのそれぞれは、径方向内側の前縁と、径方向外側の後縁と、前記インレットリングに連結された第１端部と、前記背面プレートに連結された第２端部とを有する。前記前縁および前記後縁の少なくとも一方は、一列に隣接して並んだ第１のノッチ、第２のノッチおよび第３のノッチを含む複数のノッチを有している。前記第１のノッチおよび前記第２のノッチは、前記第１のノッチと前記第２のノッチとの間に第１のセレーションを形成している。前記第２のノッチおよび前記第３のノッチは、前記第２のノッチと前記第３のノッチとの間に第２のセレーションを形成している。前記第２のノッチは、前記第１から第３のノッチの深さのなかで最大または最小の深さを有している。前記第１および第２のセレーションのそれぞれは非対称形状を有している。
【発明の効果】
【００１０】
本開示の鋸歯状ファンブレード、軸流ファン、および遠心ファンの実施形態によれば、各ブレードが備える翼型構造の後縁付近において、方向の異なる渦が互いに干渉するため、空力騒音の低減が実現する。
【図面の簡単な説明】
【００１１】
【図１】図１は、ブレードの翼型構造が後縁に鋸歯形状を有していない軸流ファンについて、空力騒音とその周波数のスペクトルを示すグラフである。
【図２Ａ】図２Ａは、本開示におけるファンブレードの基本的構成例を示す図である。
【図２Ｂ】図２Ｂは、図２Ａの１Ｂ−１Ｂ線断面図である。
【図３】図３は、本開示におけるファンブレードが備えるノッチ列の構成例を示す図である。
【図４】図４は、各ノッチの寸法を規定するパラメータを示す図である。
【図５】図５は、各セレーションの寸法を規定するパラメータを示す図である。
【図６】図６は、ファンブレードの表面上における気流が、非対称なセレーションによる収束効果を受ける様子を模式的に示す図である。
【図７】図７は、本開示におけるファンブレードが備えるノッチ列の他の構成例を示す図である。
【図８】図８は、本開示におけるファンブレードが備えるノッチ列の更に他の構成例を示す図である。
【図９】図９は、本開示におけるファンブレードが備えるノッチ列の更に他の構成例を示す図である。
【図１０】図１０は、本開示におけるファンブレードが備えるノッチ列の更に他の構成例を示す図である。
【図１１】図１１は、ノッチの非対称性を規定するパラメータを示す図である。
【図１２】図１２は、本開示におけるファンブレードが備えるノッチ列の更に他の構成例を示す図である。
【図１３】図１３は、本開示の実施形態に係る軸流ファン１０００を示す斜視図である。
【図１４】図１４は、本開示の実施形態に係る軸流ファン１０００の正面（左）、および側面（右）を示す図である。
【図１５】図１５は、本開示の実施形態に係る軸流ファン１０００の側面図である。
【図１６】図１６は、本開示の実施形態に係る軸流ファン１０００におけるファンブレードの運動と気流との関係を模式的に示す図である。
【図１７】図１７は、ハウジング６０を備える本開示の実施形態に係る軸流ファン１０００を示す正面図である。
【図１８】図１８は、本開示の実施形態に係る軸流ファン１０００の縦断面図である。
【図１９】図１９は、改変された本開示の実施形態に係る軸流ファン１０００の正面（左）、および側面（右）を示す図である。
【図２０】図２０は、図１９の円Ａに囲まれた領域を拡大して示す図である。
【図２１】図２１は、本開示におけるファンブレードの他の形態を示す図である。
【図２２】図２２は、図１３に示す軸流ファン１０００の実施例と比較例について得られた騒音特性を示すグラフである。
【図２３】図２３は、図２１に示す軸流ファン１０００の実施例と比較例について得られた騒音特性を示すグラフである。
【図２４】図２４は、本開示における遠心ファンインペラの実施形態を示す図である。
【図２５】図２５は、ファンブレード２４０の形状を模式的に示す正面図である。
【図２６】図２６は、本開示における遠心ファンインペラの他の実施形態を示す図である。
【発明を実施するための形態】
【００１２】
空力騒音は、単極子音源、双極子音源および四重極子音源の複雑な組み合わせによって形成される。回転する複数のファンブレード（以下、単に「ブレード」と称する場合がある）を有する装置では、騒音源として、ブレードの表面付近に生成される双極子音源が支配的である。このような装置では、乱流または渦に起因する四重極子音源も騒音に寄与していると考えられる。これらの音源から生じる空力騒音は、広い周波数帯域に分布する成分と、特定の周波数で高いピークを示す成分とを含んでいる。特定の周波数で高いピークを示す騒音は、ブレードパストーン（ＢＰＴ）と呼ばれており、耳障りである。ブレードパストーンが生じる最も低い周波数（第１のＢＰＦ）は、回転するブレードの枚数および回転速度（Ｒｏｔａｔｉｏｎａｌ  Ｓｐｅｅｄ）によって決まる。具体的には、ブレードの枚数をＸ、回転速度をＹ（１分間あたりの回転数）とするとき、第１のＢＰＦは以下の式で示される。
第１のＢＰＦ＝Ｘ×（Ｙ／６０）    ［単位はＨｚ］
【００１３】
ブレードパストーンは、第１のＢＰＦで生じる成分（基本波成分）と、その高調波成分とから構成される。本明細書では、第１のＢＰＦで生じる成分を第１のブレードパストーン（第１のＢＰＴ）と称することにする。
【００１４】
ブレードの枚数Ｘが５、回転速度Ｙが毎分２００００回転の場合、上記の式から第１のＢＰＦ＝５×２００００／６０＝約１６６７（Ｈｚ）が得られる。この場合、ブレードパストーンは、全体として、約１６６７Ｈｚの自然数（正の整数）倍の周波数を持つ。第１のＢＰＴの音圧レベルは、ブレードパストーン全体のなかで最も高く、ノイズピークを示す。高調波成分の音圧レベルは、周波数が高いほど、低下する傾向にある。第１のＢＰＴの音圧レベルを低減することができれば、ブレードパストーンを全体として低減し、ファンを静音化できる。
【００１５】
図１は、ブレードの後縁が鋸歯形状を有していない軸流ファンによる騒音スペクトルの一例を示すグラフである。グラフの横軸は騒音の周波数（単位はＨｚ）を示し、縦軸は騒音の音圧レベル（単位はｄＢ）を示している。図１に示されるように、幾つかの周波数でブレードパストーンが観測される。これらの周波数は、第１のＢＰＴの正の整数倍である。
【００１６】
本開示のファンブレードおよび軸流ファンの実施形態によれば、ブレード後縁が有する特殊な鋸歯形状が乱流および渦の生成・消滅過程に作用し、双極子および四重極子の両方の音源による騒音を低減することが可能になる。
【００１７】
本開示の具体的な実施形態を説明する前に、本開示のファンブレードの基本構成例とその作用とを説明する。
【００１８】
＜ファンブレードの基本構成例＞
まず、図２Ａおよび図２Ｂを参照して、本開示におけるファンブレードの基本的な構成例を説明する。図２Ａに例示されているファンブレード４０は、前縁（Ｌｅａｄｉｎｇ  ｅｄｇｅ）４２および後縁（Ｔｒａｌｉｎｇ  ｅｄｇｅ）４４を有する翼型構造１００を備えている。前縁４２および後縁４４は、それぞれ、不図示のハブに接続される内側根元４６と、外側先端４８との間に延びている。本明細書では、ハブと、ハブから半径方向外側に延びる複数のファンブレード４０とを総称してインペラと称する。また、後述する遠心ファンについては、インレットリング、背面プレート、および複数のファンブレードを備え、中心軸Ｒｘの周りに回転する構造物をインプラに含めても良い。インペラは、一体成型によって形成された１個のモノリシックな合成樹脂部品であってもよいし、金属加工品であってもよい。インペラは、異なる材料から形成された複数の部品の組立体であってもよい。なお、インペラは、プロペラと呼ばれることもある。
【００１９】
ファンブレード４０は、図２Ａの矢印Ｒに示される方向に回転する。回転中のファンブレード４０に対して、空気などの気体は前縁４２から後縁４４に向かって流れる。翼型構造１００の後縁４４は、鋸歯状の形状を形成しているノッチ（ｎｏｔｃｈ）列５０を有している。このノッチ列５０の構造が、後述するように空力騒音の低減に重要な働きをする。
【００２０】
図２Ｂは、翼型構造１００の図２Ａの点線に沿った１Ｂ−１Ｂ線断面の一例を示している。翼型構造１００は、前縁４２と後縁４４とをつなぐ減圧面１００Ｕおよび加圧面１００Ｌを有している。ファンブレード４０が矢印Ｒに示される方向に回転しているとき、気流は、減圧面１００Ｕおよび加圧面１００Ｌに沿って前縁４２から後縁４４に向かう。前縁４２から後縁４４までの長さＣＬは、翼弦長（コード）と呼ばれる。図示されている翼型構造１００は、減圧面１００Ｕが凸状に湾曲したキャンバ構造を有しているが、本開示のファンブレードの実施形態はキャンバ構造を有している必要はない。翼型構造１００の厚さは、ほぼ一定であってもよい。
【００２１】
図２Ａに示されている例において、前縁４２は、回転の半径方向に沿って直線状に延びており、後縁４４も、鋸歯状の部分を除けば実質的に回転の半径方向に沿って直線状に延びている。このため、図２Ａに例示されるファンブレード４０における翼弦長ＣＬは、半径方向位置に依存して異なる値を持つ。ファンブレード４０の概略形態は、この例に限定されず、後退翼形状または前進翼形状を有していてよい。すなわち、前縁４２および後縁４４は、半径方向に直線的に延びている必要はなく、全体として、傾斜したり湾曲したりしていてもよい。
【００２２】
次に図３を参照しながらノッチ列５０の構成を説明する。ノッチ列５０は、少なくとも、隣接して一列に並んだ第１のノッチＮ１、第２のノッチＮ２および第３のノッチＮ３を含んでいる。ノッチ列５０は、他のノッチを含んでいても良い。図示されている各ノッチＮ１、Ｎ２、Ｎ３は、概略的にＶ字形状を有する凹部であるが、ノッチの形状は、この例に限定されない。採用し得るノッチ形状の多様性については、後述する。
【００２３】
隣り合う第１のノッチＮ１および第２のノッチＮ２は、第１のノッチＮ１と第２のノッチＮ２との間に第１のセレーション（ｓｅｒｒａｔｉｏｎ）Ｓ１を形成している。同様に、隣り合う第２のノッチＮ２および第３のノッチＮ３は、第２のノッチＮ２と第３のノッチＮ３との間に第２のセレーションＳ２を形成している。図示されている各セレーションは、概略的に逆Ｖ字形状を有する凸部であり、セレーションを「歯」と呼ぶこともできる。セレーションの形状は、この例に限定されない。採用し得るセレーション形状の多様性については、後述する。
【００２４】
図４および図５を参照して、ノッチおよびセレーションの寸法を規定するパラメータを説明する。
【００２５】
図４は、ノッチの寸法を規定するパラメータを示す図である。図４では、ある１つのノッチＮについて、その形状を規定するパラメータが記載されている。これらのパラメータは、他のノッチでも同様である。図４に示されるように、ノッチＮは、幅Ｗおよび深さＤを持つ。幅Ｗは、鋸歯状の後縁４４において隣接する２個の頂部ＡＰ（セレーションの頂部）を結ぶ線分の距離である。深さＤは、この線分の中点Ｍから、対向するノッチＮの底部（鋸歯状の後縁４４の底部）ＢＯまでの距離である。図４に示される例では、頂部ＡＰおよび底部ＢＯには、それぞれ、丸みがつけられている。このような丸みにより、気流の方向が急激に変わった際に発生しやすい騒音（エッジトーン）の発生を抑制する効果が得られる。また、このような効果を得るためには、丸みの曲率半径は、例えば０．３ｍｍから０．５ｍｍの範囲にあればよい。また、丸みは、頂部ＡＰおよび底部ＢＯの一方に設けられていてもよい。
【００２６】
ノッチＮを規定する２個の頂部ＡＰの一方と底部ＢＯとを結ぶ線をノッチの第１の辺Ｌｎ１と称し、２個の頂部ＡＰの他方と底部ＢＯとを結ぶ線をノッチの第２の辺Ｌｎ２と称する。簡単のため、第１の辺Ｌｎ１および第２の辺Ｌｎ２の長さを、それぞれ、Ｌｎ１およびＬｎ２で示すこととする。第１の辺Ｌｎ１と第２の辺Ｌｎ２とが形成する底部角度はθ１で示されている。
【００２７】
図４の例において、第１の辺Ｌｎ１および第２の辺Ｌｎ２は、ともに大部分が直線的であり、ほぼ同じ長さを有する。この例では、図示されているすべてのノッチにおいて、それぞれ、Ｌｎ１とＬｎ２とがほぼ等しい。しかし、隣接する２つのノッチのサイズを比較すると、一方のノッチの幅Ｗ、深さＤ、および長さＬｎ１、Ｌｎ２は、他方のノッチの幅Ｗ、深さＤ、および長さＬｎ１、Ｌｎ２から異なっている。図４の例において、底部角度θ１は、各ノッチでほぼ等しい。
【００２８】
本開示における鋸歯状ファンブレード４０の典型例においては、図４に示されるように、深さＤが相対的に大きなノッチと深さＤが相対的に小さなノッチとが、交互に並んでいる。また、本開示の実施形態において、第１のノッチＮ１、第２のノッチＮ２、および第３のノッチＮ３の深さは、それぞれ、例えば翼弦長ＣＬの５％以上３５％以下である。また、第１のノッチＮ１および第３のノッチＮ３の幅は、それぞれ、第１のノッチＮ１および第３のノッチの深さの０．５倍以上３倍以下であり、第２のノッチＮ２の幅は、第２のノッチＮ２の深さの０．５倍以上３倍以下である。底部角度θ１は、各ノッチの深さＤおよび幅Ｗによってほぼ決まる。底部角度θ１は、例えば１５度以上７５度以下の範囲にある。
【００２９】
なお、本開示における鋸歯状ファンブレードの翼弦長ＣＬは、軸流ファンに用いられる場合、典型例において、例えば２０ｍｍ以上５０ｍｍ以下の範囲にある。本開示における鋸歯状ファンブレードが軸流ファン以外の装置に使用される場合、翼弦長ＣＬは、装置のサイズに応じて任意の大きさを有し得る。
【００３０】
図５は、セレーションＳの寸法を規定するパラメータを示す図である。図５では、ある１つのセレーションＳについて、その形状を規定するパラメータが記載されている。これらのパラメータは、他のセレーションでも同様である。図５に示されるように、セレーションＳは、ブレード４０の後縁４４の一部である第１の辺Ｌｓ１および第２の辺Ｌｓ２によって規定される。簡単のため、第１の辺Ｌｓ１および第２の辺Ｌｓ２の長さを、それぞれ、Ｌｓ１およびＬｓ２で示すこととする。第１の辺Ｌｓ１と第２の辺Ｌｓ２とが形成する頂部角度はθ２で示されている。ブレード４０の後縁４４の一部がセレーションＳの辺とノッチＮの辺とを兼ねている。例えば、図５に示されているセレーションＳの第２の辺Ｌｓ２は、図４に示されているノッチＮの第１の辺Ｌｎ１でもある。なお、頂部角度θ２は、例えば１５度以上７５度以下の範囲にある。
【００３１】
図５の例において、第１の辺Ｌｓ１および第２の辺Ｌｓ２は、ともに大部分が直線的であり、相互に異なる長さを有している。このように第１の辺Ｌｓ１の長さと第２の辺Ｌｓ２の長さとが異なるセレーションＳを、本開示においては、非対称形状を有するセレーションと称する。長さＬｓ１およびＬｓ２のうちの短い方に対する長い方の比率は、典型的には、１．２以上１０以下の範囲にある。
【００３２】
再び図３を参照する。図３に示されているファンブレード４０において、第２のノッチＮ２は、第１から第３のノッチＮ１、Ｎ２、Ｎ３の深さのなかで最大の深さを有している。深さの異なるノッチが隣接して形成された第１および第２のセレーションＳ１、Ｓ２は、それぞれ、左右で辺の長さが異なる非対称形状を有している。第１および第２のセレーションＳ１、Ｓ２が有効な非対称形状を持つために、第１のノッチＮ１および第３のノッチＮ３の深さは、第２のノッチＮ２の深さの３３％以上８３％以下の範囲内に設定され得る。
【００３３】
＜ファンブレードの作用＞
ファンブレード４０の後縁４４にノッチ列５０が設けられていると、相互に反対方向に回転する渦がセレーションの根元付近から形成され、流れの方向に沿って延びる。このような渦は、収束効果（ｆｕｎｎｅｌｉｎｇ  ｅｆｆｅｃｔ）を引き起こし、セレーションの各辺（後縁４４）に近づくにつれて乱流の特性を変化させる。
【００３４】
図６は、ファンブレード４０の表面上における気流が、非対称なセレーションが示す収束効果を受ける様子を模式的に示す図である。本発明者等の検討によると、左右で辺の長さが異なる非対称形状を有するセレーションＳ１、Ｓ２が図６に示されるように隣り合って配置されているとき、隣接する渦の強度に大小が発生し、これらの渦が互いに干渉して速やかに減衰することがわかった。このような渦の干渉は、個々のセレーションが対称形状を有する場合には明確に観察されず、セレーションの非対称形状による効果であると考えられる。
【００３５】
非対称形状を有するセレーションは、非対称な収束効果を生じさる。左右の辺の長さの大小関係が反転した２種類のセレーションを交互に配置した構成（スタガードアレンジメント）により、強さの異なる反対方向の渦（Ｃｏｕｎｔｅｒ−Ｒｏｔａｔｉｎｇ  Ｓｔｒｅｅｔｗｉｓｅ  Ｏｒｉｅｎｔｅｄ Ｖｏｒｔｉｃｅｓ）が生成し、互いに干渉する。この干渉は、渦の消滅を速め、騒音の低減に寄与する。騒音低減の効果は、典型的には、各々が非対称形状を有する２種類のセレーションが隣接している形態において実現する。後述するように、これら２種類のセレーションの間に他のセレーション（非対称形状を有している必要はない）が挿入されていても、同様の効果を得ることは可能である。
【００３６】
本開示のファンブレードでは、大きさの異なるノッチの配列によって非対称なセレーションを形成し、それによって、渦の層を適切に制御して騒音を低減することが可能になる。しかし、このような効果を得るために、第２のノッチＮ２が、第１から第３のノッチＮ１、Ｎ２、Ｎ３の深さのなかで最大の深さを有していることは必須ではない。図７に示されるように、第２のノッチＮ２が、第１から第３のノッチＮ１、Ｎ２、Ｎ３の深さのなかで最小の深さを有していてもよい。
【００３７】
図８は、本開示におけるファンブレード４０が備えるノッチ列の更に他の構成例を示す図である。図８に示される例では、図３に示されるファンブレード４０のノッチ列５０が、第３のノッチＮ３に隣接する第４のノッチＮ４を含んでいる。第３のノッチＮ３および第４のノッチＮ４は、第３のノッチＮ３と第４のノッチＮ４との間に第３のセレーションＳ３を形成している。第４のノッチＮ４は、第３のノッチＮ３よりも大きな深さを有している。
【００３８】
図９は、本開示におけるファンブレード４０が備えるノッチ列の更に他の構成例を示す図である。図９に示される例では、図７に示されるファンブレードのノッチ列５０が、第３のノッチＮ３に隣接する第４のノッチＮ４を含んでいる。第３のノッチＮ３および第４のノッチＮ４は、第３のノッチＮ３と第４のノッチＮ４との間に第３のセレーションＳ３を形成している。第４のノッチＮ４は、第３のノッチＮ３よりも小さな深さを有している。
【００３９】
このように、深さが相互に異なる２種類のノッチが交互に並ぶことにより、上述したスタガードアレンジメントの典型例を実現できる。
【００４０】
図１０は、本開示におけるファンブレード４０が備えるノッチ列の更に他の構成例を示す図である。図１０に示される例において、第１から第３のノッチＮ１、Ｎ２、Ｎ３のそれぞれが、非対称形状を有している。ノッチの非対称形状とは、図４に示される第１の辺Ｌｎ１の長さと第２の辺Ｌｎ２の長さとが異なる形状である。図１０に例示されるノッチ列５０においても、第２のノッチＮ２が、第１から第３のノッチＮ１、Ｎ２、Ｎ３の深さのなかで最大の深さを有している。なお、図７に示されるように、第２のノッチＮ２が、第１から第３のノッチＮ１、Ｎ２、Ｎ３の深さのなかで最小の深さを有していてもよい。このとき、図７に示すファンブレード４０においても、第１から第３のノッチＮ１、Ｎ２、Ｎ３のそれぞれが、非対称形状を有していてもよい。
【００４１】
図１１は、ノッチの非対称性形状を規定するパラメータを示す図である。図１１に示されている鋸歯状の後縁４４は、４個の頂部５１、５３、５５、５７と、３個の底部５２、５４、５６とを有している。ここで第２のノッチＮ２に着目する。隣接する２個の頂部５３、５５を結ぶ線分の中点Ｍと、対向するノッチＮ２の底部５４とを結ぶ線分Ｄの距離は、第２のノッチＮ２の深さＤに相当している。この線分Ｄは、翼弦長の方向Ｃｄに対して傾斜し、ゼロ度ではない角度（傾斜角度）αを形成している。この傾斜角度αは、線分Ｄが、ブレード４０の内側根元４６の側に傾斜しているとき、正の値を持ち、外側先端４８の側に傾斜しているとき、負の値を持つこととする。図１１に示される例において、第２のノッチＮ２の傾斜角度αは正の値を持っている。傾斜角度αが正の値を持つ場合、第１の辺Ｌｎ１は、第２の辺Ｌｎ２よりも外側先端４８に近い。また、第１の辺Ｌｎ１は、第２の辺Ｌｎ２よりも長い。
【００４２】
このような傾斜角度αは、例えばマイナス６０度以上、プラス６０以下の範囲内に設定され得る。線分Ｄが、内側根元４６の側に傾斜している場合、各ノッチの傾斜角度αが正の値を持つと、翼面軌跡上に沿って渦を形成し易いという効果が得られる。
【００４３】
図１２は、本開示におけるファンブレード４０が備えるノッチ列の更に他の構成例を示す図である。図１２に示される例において、複数のノッチ列５０は、第１のノッチＮ１、第２のノッチＮ２、第３のノッチＮ３および第４のノッチＮ４を有している。第１のノッチＮ１および第２のノッチＮ２は、第１のノッチＮ１と第２のノッチＮ２との間に第１のセレーションＳ１を形成している。第２のノッチＮ２および第３のノッチＮ３は、第２のノッチＮ２と第３のノッチＮ３との間に第２のセレーションＳ２を形成している。第３のノッチＮ３および第４のノッチＮ４は、第３のノッチＮ３と第４のノッチＮ４との間に第３のセレーションＳ３を形成している。
【００４４】
図１２に示されるノッチ列５０の特徴は、第２および第３のノッチＮ２、Ｎ３のそれぞれが、第１および第４のノッチＮ１、Ｎ４のそれぞれの深さよりも小さな深さを有している点にある。この構成例では、それぞれが非対称形状を有する第１および第３のセレーションＳ１、Ｓ３に挟まれる位置に第２のセレーションＳ２が存在する。この例における第２のセレーションＳ２は、左右の辺の長さが等しい対称的な形状を有している。このような構成によっても、図６を参照して説明した効果とほぼ同様の効果を得ることができる。
【００４５】
上記の図面に示されている例において、各ノッチは、直線的に延びる辺と、丸みを持つ底部を有し、全体としてはＶ字形状または三角形状であるが、本開示におけるノッチの形状は、このような例に限定されない。ノッチの各辺に直線部分が含まれている必要はない。また、各ノッチは、微細な凹凸を含んでいても良い。
【００４６】
＜実施形態１＞
以下、本開示による実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。本発明者等は、当業者が本開示を十分に理解するために添付図面および以下の説明を提供する。これらによって特許請求の範囲に記載の主題を限定することを意図しない。
【００４７】
まず、図１３および図１４を参照して、本開示の実施形態における軸流ファン１０００の基本構成例を説明する。図１３は、この実施形態における軸流ファン１０００を示す斜視図である。図１４は、本実施形態に係る軸流ファン１０００の正面（左）、および側面（右）を示す図である。
【００４８】
本実施形態における軸流ファン１０００は、モータ１０と、モータ１０に連結されたインペラ２０とを備える。インペラ２０は、ハブ３０およびハブ３０に接続された複数のファンブレード４０を有する。図示されている例において、ファンブレード４０の枚数は５であり、ファンブレード４０のそれぞれは、図３に示す構成を有している。すなわち、各ファンブレード４０は、前縁４２および後縁４４を有する翼型構造１００を備え、前縁４２および後縁４４は、それぞれ、内側根元４６と外側先端４８との間に延びている。後縁４４は、前述した構成のノッチ列５０を有している。
【００４９】
次に図１５および図１６を参照する。図１５は、本実施形態に係る軸流ファン１０００の側面図である。図１６は、図１５の軸流ファン１０００におけるファンブレード４０の運動と気流との関係を模式的に示す図である。モータ１０の回転に伴い、ハブ３０は、後述するロータとともに回転する。このとき、ブレード４０は、図１６に模式的に示すように、矢印Ｒの方向に移動する。このようなブレード４０の運動により、図１５および図１６の白抜きの矢印で示す方向に、全体としての気流（軸流）が発生する。図１５および図１６の左側は、軸流ファン１０００の「吸気側（インレット側）」であり、これらの図の右側は「排気側（アウトレット側）」である。図１６に示されるように、吸気側からブレード４０を視たとき、ブレード４０の減圧面１００Ｕが観察される。
【００５０】
図１７は、本実施形態における軸流ファン１０００の他の例を示す正面図である。図１８は、図１７に示される軸流ファン１０００の軸Ｒｘを通る縦断面図である。図１８の配置では、図１８における上側からハウジング６０内に空気が取り込まれ、その下側へと送出される。すなわち、中心軸Ｒｘの方向の空気の流れが発生する。従って、図１８の配置では、同図の上側が「吸気側」であり、下側が「排気側」である。
【００５１】
この軸流ファン１０００は、図１３に示される構成に加えて、インペラ２０の外周を囲むハウジング６０と、モータ１０を載せるベース７５と、ベース７５を支持する複数の支持部材（ストラット）７０とを備えている。複数のストラット７０は、ベース７５の外周からハウジング６０の内側面６０Ａに向かって放射状に延び、ベース７５とハウジング６０とを連結している。
【００５２】
図１８では、インペラ２０のブレード４０およびストラット（破線部分）７０の概略形状を中心軸Ｒｘの左右に示している。また、モータ１０は誇張して大きく記載されている。図示されている各構成要素の形状およびサイズは、図に例示されている形状およびサイズに限定されない。
【００５３】
本実施形態におけるインペラ２０は、モータ１０の外側を覆うカップ状のハブ３０と、ハブ３０の外側面から径方向外方に突出する複数のブレード４０を有する。複数のブレード４０は、モータ１０の回転中心の軸でもある中心軸Ｒｘを中心として円周方向に等間隔で配列されている。本実施形態のハブ３０およびブレード４０は、樹脂の射出成形によって１つの部材として形成されている。
【００５４】
モータ１０は、ロータ８０およびステータ９０を備える。中心軸Ｒｘの方向においてロータ８０はステータ９０よりも吸気側に位置している。ロータ８０は、金属磁性体から形成されたヨーク８２と、ヨーク８２の内側に固定された永久磁石８４と、ヨーク８２の上部中央から下方に突出するシャフト８６とを備える。ヨーク８２は、中心軸Ｒｘを中心とするカップ形状を有している。ハブ３０はヨーク８２を覆い、インペラ２０をロータ８０に連結している。
【００５５】
本実施形態におけるステータ９０は、ほぼ円板状のベース７５と、ベース７５の中央から上方へと突出するほぼ円筒状の軸受保持部７６と、軸受保持部７６の外周に取り付けられた電機子９２と、電機子９２の下側に取り付けられたほぼ円環板状の回路基板７８とを備えている。
【００５６】
回路基板７８は、モータ駆動のためのトランジスタ、ダイオード、キャパシタなどの種々の電子回路部品を搭載している。回路基板７８は、モータ制御のためのプログラムが格納されたメモリおよびそのプログラムの指令に基づいて動作するマイクロコンピュータを搭載していても良い。回路基板７８は、電機子９２に電気的に接続され、電機子９２の制御を行う。
【００５７】
電機子９２は、巻線９２Ｗを有し、永久磁石８４と径方向に対向している。外部電源から回路基板７８を介して電機子９２に駆動電流が供給されることにより、電機子９２と永久磁石８４との間で中心軸Ｒｘを中心とするトルクが発生する。軸受保持部７６の内側には、軸受機構である玉軸受７６Ａ、７６Ｂが中心軸Ｒｘ方向の上部および下部に設けられている。軸受保持部７６に挿入されたシャフト８６は、玉軸受７６Ａ、７６Ｂによって回転可能に支持されている。
【００５８】
このような構成を備える軸流ファン１０００は、吸気側および排気側の少なくとも一方に静翼（ステータベーン）または案内羽根（ガイドベーン）を有していても良い。また、同様の構成を備える複数の軸流ファン１０００が並列または直接に配列された状態で使用されても良い。
【００５９】
上記の構成は、本開示における軸流ファンの一例に過ぎず、本開示の実施形態は、他の構成を採用し得る。ブレード４０の枚数およびモータ１０の構造は、任意である。モータ１０は、ＤＣ（Ｄｉｒｅｃｔ  Ｃｕｒｒｅｎｔ）モータであってもよいし、ＡＣ（Ａａｌｔｅｒｎａｔｉｎｇ  Ｃｕｒｒｅｎｔ）モータであってもよい。また、ハウジング６０の形状も上記の例に限定されず、ハウジング６０も必須ではない。軸流ファン１０００は、電子機器の筐体に直接取り付けられても良いし、ダクトに取り付けられても良い。
【００６０】
次に、軸流ファン１０００の変形例を説明する。図１３および図１４に示された軸流ファン１０００から異なる点を説明し、同様の構成については説明を繰り返さない。
【００６１】
図１９は、この変形例に係る軸流ファン１０００の正面（左）、および側面（右）を示す図である。この変形例に係る軸流ファン１０００は、７枚のファンブレード４０を備える。図２０は、図１９の円Ａに囲まれた領域におけるノッチ列５０を吸気側（インレット側）から見た拡大図である。図２０に示されるように、本変形例におけるファンブレード４０の後縁４４は４個のノッチＮ１〜Ｎ４を含むノッチ列５０を有している。
【００６２】
図２１は、このファンブレード４０の形態を示す図である。図２１に示されるように、このノッチ列５０は、図８に示される構成と同様の構成を有している。すなわち、第１から第４のノッチＮ１、Ｎ２、Ｎ３、Ｎ４のそれぞれが、非対称形状を有している。このノッチ列５０において、第２のノッチＮ２が、第１から第３のノッチＮ１、Ｎ２、Ｎ３の深さのなかで最大の深さを有している。また、第４のノッチＮ４は、第３のノッチＮ３よりも大きな深さを有している。言い換えると、深さが相対的に小さな第１および第３のノッチＮ１、Ｎ３と、深さが相対的に大きな第２および第４のノッチＮ２、Ｎ４とが、交互に並んでいる。
【００６３】
再び図２０を参照する。図２０に示されるように、後縁４４の側面４４Ｓの一部分が吸気側から見えている。後縁４４の側面４４Ｓのうち、吸気側から観察される部分は、いずれも、第１から第４のノッチＮ１、Ｎ２、Ｎ３、Ｎ４のそれぞれが有する２個の辺のうちの内側根元４６に近い側の辺（第２の辺）に位置している。
【００６４】
このような構成を採用することにより、量産品としての加工が容易になるという効果が得られる。
【００６５】
＜実施例１＞
図２２は、図１３に示す軸流ファン１０００の実施例および比較例について得られた騒音特性を示すグラフである。グラフの横軸は、ピークノイズである第１のＢＰＴの周波数（単位はＨｚ）を示し、縦軸は第１のＢＰＴの音圧レベル（単位はｄＢ）を示している。破線Ｒｅｆ１は、鋸歯のない後縁を持つ比較例１について得られた第１のＢＰＴを示し、実線Ｅ１は、図１３に示す軸流ファン１０００の実施例１について得られた第１のＢＰＴを示している。実施例１によれば、第１のＢＰＴの音圧レベルが比較例における第１のＢＰＴの音圧レベルの約９０％に減少している。
【００６６】
また、実施例１および比較例１について静圧−風量特性（Ｐ−Ｑ）および静圧効率（効率）を評価した。実施例１と比較例１との間にほとんど差異はなかった。
【００６７】
なお、実施例１において、第１および第３のノッチＮ１、Ｎ３は、いずれも、約１．４ｍｍの幅Ｗと約１．１ｍｍの深さＤとを有し、第２のノッチＮ２は、約１．４ｍｍの幅Ｗと約１．６ｍｍの深さＤとを有している。底部角度θ１、頂部角度θ２、翼弦長Ｃｄは、それぞれ、２１．９度、２６．９度、２３．４ｍｍである。回転速度は１００００ｒｐｍである。
【００６８】
＜実施例２＞
図２３は、図１９に示す変形例に係る軸流ファン１０００の実施例および比較例について得られた騒音特性を示すグラフである。グラフの横軸は、第１のＢＰＴの周波数（単位はＨｚ）を示し、縦軸は第１のＢＰＴの音圧レベル（単位はｄＢ）を示している。破線Ｒｅｆ２は、鋸歯のない後縁を持つ比較例２について得られた第１のＢＰＴを示し、実線Ｅ２は、図１９に示す軸流ファン１０００の実施例２について得られた第１のＢＰＴを示している。この実施例２によれば、第１のＢＰＴの音圧レベルが比較例における第１のＢＰＴの音圧レベルの約９４％に減少している。第１のＢＰＴの周波数が実施例２と比較例２との間でシフトしているが、このシフトは回転速度の差（誤差）に起因している。
【００６９】
また、実施例２および比較例２について静圧−風量特性（Ｐ−Ｑ）および静圧効率（効率）を評価した。実施例２と比較例２との間にほとんど差異はなかった。
【００７０】
なお、実施例２において、第１および第３のノッチＮ１、Ｎ３は、いずれも、約１．２ｍｍの幅Ｗと約１．０ｍｍの深さＤとを有し、第２のおよび第４ノッチＮ２、Ｎ４は、約１．２ｍｍの幅Ｗと約１．８ｍｍの深さＤとを有している。翼弦長の方向Ｃｄに対する傾斜角度αは、いずれのノッチＮ１、Ｎ２、Ｎ３、Ｎ４でも、＋３０度程度である。底部角度θ１、頂部角度θ２、翼弦長Ｃｄは、それぞれ、２１．９度、２６．９度、２３．４ｍｍである。回転速度は１００００ｒｐｍである。
【００７１】
以上のように、本開示の軸流ファンでは、ファン特性を劣化させることなく、ピークノイズを約５ｄＢ、またはそれ以上、低下させ得ることを確認した。また、計算機を用いた数値流体力学シミュレーションを実行したところ、本開示のブレード後縁が有する鋸歯形状が乱流および渦の生成・消滅過程に作用し、騒音源を低減することを確認した。
【００７２】
＜実施形態２＞
本開示のブレード後縁が有する鋸歯形状が乱流および渦の生成・消滅過程に作用し、騒音源を低減する効果は、前述したように、軸流ファン以外の装置に適用しても同様に得ることができる。軸流ファン以外の装置の典型例は、遠心ファンである。以下、本開示による遠心ファンに適用されるインペラ、すなわち遠心ファンインペラの実施形態を説明する。
【００７３】
図２４は、本実施形態における遠心ファンインペラ（以下、単に「インペラ」と称する）２０Ａの斜視図である。インペラ２０Ａは、モータに連結されて使用される。インペラ２０Ａは、インレットリング２１０と、背面プレート２２０と、インレットリング２１０と背面プレート２２０との間において中心軸Ｒｘの周りに配列された複数のファンブレード２４０とを備えている。
【００７４】
図２５は、ファンブレード２４０の形状を模式的に示す正面図である。図２５には、中心軸Ｒｘの位置が一点鎖線の直線で示されており、ファンブレード２４０に沿って流れる気流の向きが矢印で示されている。図２５に示されるように、ファンブレード２４０は、径方向内側の前縁２４２と、径方向外側の後縁２４４と、インレットリング２１０に連結される第１端部２４８と、背面プレート２２０に連結される第２端部２４６とを有している。ファンブレード２４０の典型例は、前進翼または後退翼であるが、径方向に平面的に拡がっていてもよい。
【００７５】
本実施形態におけるファンブレード２４０の後縁２４４は、前述した軸流ファンのブレード４０と同様に、ノッチ列５０を有している。ノッチ列５０の構造および機能は、前述した通りであり、ここで詳細な説明は繰り返さない。
【００７６】
本開示のインペラ２０Ａを備える遠心ファンの実施例と、この実施例からはノッチ列５０を有していない点で異なる比較例とについて、音力レベルを評価した。その結果、ノッチ列５０の存在が音圧レベルを、数パーセント程度、低下させることを確認した。
【００７７】
＜実施形態３＞
本発明者等の実験およびシミュレーションの結果、各ファンブレード２４０の前縁２４２にノッチ列５０を設けても、遠心ファンの騒音を低減できることがわかった。
【００７８】
図２６は、他の実施形態におけるインペラ２０Ｂを示す斜視図である。図示されているように、インペラ２０Ｂのファン２４０は、前縁２４２に設けられたノッチ列５０を有している。このインペラ２０Ｂと前述のインペラ２０Ａとの相違点は、ノッチ列５０の位置にある。
【００７９】
このように、本開示による遠心ファンに使用されるインペラでは、ノッチ列５０はブレードの前縁および後縁の少なくとも一方に設けられていればよい。また、ノッチ列５０の形状は、１つの例に限定されず、軸流ファンについて説明したように、多用であり得る。
【００８０】
本開示の遠心ファンは、一般的な例において、モータおよびインペラを収納するハウジングを備えていても良く、ダクトなどの配管に連結されて使用され得る。
【００８１】
インレットリング２１０および背面プレート２２０の形状は、図示されている例に限定されない。背面プレート２２０の一部または全部が曲面を形成していて良い。例えば背面プレート２２０の中央が盛り上がっていても良い。インレットリング２１０および／または背面プレート２２０の一部に付加的な構造物が設けられていても良い。
【産業上の利用可能性】
【００８２】
本開示の鋸歯状ファンブレードは、軸流ファンおよびその他の送風装置に広く用いられ得る。また、本開示の軸流ファンおよび遠心ファンは、冷却装置、換気装置、空調装置、および吸排気装置などの各種の装置に利用され得る。特にコンピュータサーバにおける冷却用途に好適に用いられ得る。
【符号の説明】
【００８３】
ＣＬ・・・翼弦長、Ｃｄ・・・翼弦長方向、Ｎ１・・・第１のノッチ、Ｎ２・・・第２のノッチ、Ｎ３・・・第３のノッチ、Ｎ４・・・第４のノッチ、Ｓ１・・・第１のセレーション、Ｓ２・・・第２のセレーション、Ｓ３・・・第３のセレーション、Ｒｘ・・・中心軸、１０・・・モータ、２０・・・インペラ、３０・・・ハブ、４０・・・ファンブレード、４２・・・前縁、４４・・・後縁、４６・・・内側根元、４８・・・外側先端、５０・・・ノッチ列、６０・・・ハウジング、６０Ａ・・・ハウジングの内側面、７０・・・ストラット、７５・・・ベース、７６・・・軸受保持部、７８・・・回路基板、８０・・・ロータ、８２・・・ヨーク、８４・・・永久磁石、８６・・・シャフト、９０・・・ステータ、９２・・・電機子、１００・・・翼型構造、１００Ｕ・・・減圧面、１００Ｌ・・・加圧面、１０００・・・軸流ファン
【図１】
2018008390.tif 000003
【図２Ａ】
2018008390.tif 000004
【図２Ｂ】
2018008390.tif 000005
【図３】
2018008390.tif 000006
【図４】
2018008390.tif 000007
【図５】
2018008390.tif 000008
【図６】
2018008390.tif 000009
【図７】
2018008390.tif 000010
【図８】
2018008390.tif 000011
【図９】
2018008390.tif 000012
【図１０】
2018008390.tif 000013
【図１１】
2018008390.tif 000014
【図１２】
2018008390.tif 000015
【図１３】
2018008390.tif 000016
【図１４】
2018008390.tif 000017
【図１５】
2018008390.tif 000018
【図１６】
2018008390.tif 000019
【図１７】
2018008390.tif 000020
【図１８】
2018008390.tif 000021
【図１９】
2018008390.tif 000022
【図２０】
2018008390.tif 000023
【図２１】
2018008390.tif 000024
【図２２】
2018008390.tif 000025
【図２３】
2018008390.tif 000026
【図２４】
2018008390.tif 000027
【図２５】
2018008390.tif 000028
【図２６】
2018008390.tif 000029
【国際調査報告】
2018008390.tif 000030
2018008390.tif 000031
2018008390.tif 000032
2018008390.tif 000033